(57)【要約】【課題】部材のコストを節減できると共に、施工が容易なセパレータ付き低コスト鹿柵を提供する。【解決手段】対象土地に柵の両端として夫々立設状に打ち込まれる端末柱１２、１２と、端末柱１２の立設状態を保持すべく配設される控柱１３と、両端の端末柱１２、１２間の土地に所定間隔で立設状に打ち込まれる中間柱１４，１４…と、両端の端末柱１２、１２間に中間柱１４，１４…に沿って約２ｍの高さまで張設される金網フェンス１５と、端末柱１２及び中間柱１４の柱間に所定間隔で立設状に配設され、地表にその下端部を置き、上端部及びそれ以外の位置で金網フェンス１５を固定するセパレータ１６，１６…とを備えたセパレータ付き低コスト鹿柵１１であり、前記端末柱１２は、直径８９ｍｍに形成され、地中に１４００ｍｍ打ち込まれ、中間柱１４は、直径６０．６ｍｍに形成され、地中に１１２０ｍｍ打ち込まれる。【選択図】図１
0003171107.tif 000002
【実用新案登録請求の範囲】
【請求項１】
鹿などの野獣の侵入を防止したい場所の土地に柵の両端として夫々立設状に打ち込まれる端末柱と、
前記端末柱の安定的な立設状態を保持すべく前記端末柱を夫々支持するように配設される控柱と、
前記両端の端末柱間の土地に所定間隔で立設状に打ち込まれる中間柱と、
縦横格子状に構成され、前記両端の端末柱間に前記中間柱に沿って地表近傍から所定高さまで張設され、前記両端の端末柱及び前記中間柱に所定箇所を固定される金網フェンスと、
隣設された前記端末柱と前記中間柱間及び隣設された前記中間柱間に夫々所定間隔で立設状に配設され、地表にその下端部を置き、上端部及びそれ以外の１乃至複数位置で前記金網フェンスを固定するセパレータとを備えたセパレータ付き低コスト鹿柵であって、
施工後の積雪荷重による沈下を防止すべく、且つ、安定的な立設状態を保持すべく、前記端末柱は、直径６０乃至１００ｍｍに形成され、地中に１３００ｍｍ乃至１５００ｍｍ打ち込まれ、前記中間柱は、直径４０乃至７０ｍｍに形成され、地中に１０００ｍｍ乃至１２００ｍｍ打ち込まれることを特徴とするセパレータ付き低コスト鹿柵。
【考案の詳細な説明】
【技術分野】
【０００１】
本考案は、鹿などの野獣が農地に侵入して農作物に被害を与えるのを防ぐための鹿柵に関し、特に、セパレータの利用によって立杭の設置間隔を広げることによりコスト削減を図ったセパレータ付き低コスト鹿柵に関するものである。
【背景技術】
【０００２】
此種従来の鹿柵の一例として、本願出願人が既に出願済みの低コスト耐雪害防鹿柵（特許文献１）を説明する。
図３に示す如く、前記低コスト耐雪害防鹿柵１は、コーナー部２と、立杭部３、３…と、金網４と、支持材部５，５…とから構成されている。
コーナー部２は、鹿などの野獣の侵入を防止したい場所の土地に打ち込まれた、例えば一辺６０ｍｍの角パイプから成る左右のコーナー柱２Ａ、２Ａと、各コーナー柱２Ａに取付けられ、前後方向に打ち込まれるグランドアンカー２Ｂ１と左右方向に打ち込まれるグランドアンカー２Ｂ２とから成るグランドアンカー部２Ｂと、控え柱部２Ｃから構成されている。
立杭部３は、左右のコーナー部２、２間の土地に所定間隔で打ち込まれた立杭３Ａ、３Ａ…と、各立杭３Ａに取付けられた沈下防止具３Ｂから構成されている。
金網４は、縦横格子状に構成され、立杭３Ａ、３Ａ…間には高さ約２ｍ程度の位置まで金網４が張設され、立杭３Ａ、３Ａ…にフックボルト４Ａなどで固定される。
支持材部５は、立杭３Ａと立杭３Ａの間、又は、コーナー柱２Ａと立杭３Ａの間に所定間隔で配された支持材５Ａ、５Ａ…と、支持材５Ａに取付けられた沈下防止具５Ｂから構成され、支持材５Ａは地表から金網４上端に達するような長さを有しており、地表にその下端部を置き、上端部及びそれ以外２ケ所ほどの位置で金網４を固定する。
【先行技術文献】
【特許文献】
【０００３】
【特許文献１】特許第３５９２６３１号公報
【考案の概要】
【考案が解決しようとする課題】
【０００４】
前記低コスト耐雪害防鹿柵は、コーナー柱や立杭の沈下を防止する為にグランドアンカーや沈下防止具を取り付ける必要があり、そのための部材の費用がかかると共に、施工の手間がかかるという問題があった。
【０００５】
以上の現状に鑑み、本考案は、部材のコストを節減できると共に、施工が容易なセパレータ付き低コスト鹿柵を提供することを目的とする。
【課題を解決するための手段】
【０００６】
上記の課題を解決すべく、本考案は以下の構成を提供する。
請求項１に係る考案は、鹿などの野獣の侵入を防止したい場所の土地に柵の両端として夫々立設状に打ち込まれる端末柱と、
前記端末柱の安定的な立設状態を保持すべく前記端末柱を夫々支持するように配設される控柱と、
前記両端の端末柱間の土地に所定間隔で立設状に打ち込まれる中間柱と、
縦横格子状に構成され、前記両端の端末柱間に前記中間柱に沿って地表近傍から所定高さまで張設され、前記両端の端末柱及び前記中間柱に所定箇所を固定される金網フェンスと、
隣設された前記端末柱と前記中間柱間及び隣設された前記中間柱間に夫々所定間隔で立設状に配設され、地表にその下端部を置き、上端部及びそれ以外の１乃至複数位置で前記金網フェンスを固定するセパレータとを備えたセパレータ付き低コスト鹿柵であって、
施工後の積雪荷重による沈下を防止すべく、且つ、安定的な立設状態を保持すべく、前記端末柱は、直径６０乃至１００ｍｍに形成され、地中に１３００ｍｍ乃至１５００ｍｍ打ち込まれ、前記中間柱は、直径４０乃至７０ｍｍに形成され、地中に１０００ｍｍ乃至１２００ｍｍ打ち込まれることを特徴とするセパレータ付き低コスト鹿柵を提供するものである。
【考案の効果】
【０００７】
本考案によれば、従来例の低コスト耐雪害防鹿柵に於けるグランドアンカー部や、沈下防止具が不要となり、部材のコスト節減を図ることができると共に、施工の手間がかからなくなり、且つ、端末柱や、中間柱が適切な大きさに形成され、適切な深さで地中に打ち込まれるので、施工後の積雪荷重による沈下を防止できる。
【図面の簡単な説明】
【０００８】
【図１】（ａ）本考案によるセパレータ付き低コスト鹿柵の正面図である。（ｂ）本考案によるセパレータ付き低コスト鹿柵の平面図である。
【図２】（ａ）本考案による変形例のセパレータ付き低コスト鹿柵の正面図である。（ｂ）本考案による変形例のセパレータ付き低コスト鹿柵の平面図である。
【図３】従来例の低コスト耐雪害防鹿柵の正面図である。
【考案を実施するための形態】
【０００９】
以下、実施例を示した図面を参照しつつ本考案の実施の形態を説明する。
図１に於いて、１１は、本考案のセパレータ付き低コスト鹿柵であり、セパレータ付き低コスト鹿柵１１は、鹿などの野獣の侵入を防止したい場所の土地に柵の両端として夫々立設状に打ち込まれる端末柱１２、１２（他端の端末柱１２は図示省略されている）と、端末柱１２の安定的な立設状態を保持すべく端末柱１２を支持するように配設される控柱１３と、両端の端末柱１２、１２間の土地に所定間隔で立設状に打ち込まれる中間柱１４，１４…と、縦横格子状に構成され、両端の端末柱１２、１２間に中間柱１４，１４…に沿って地表近傍から約２ｍの高さまで張設され、両端の端末柱１２，１２及び中間柱１４，１４…にフックボルト等で所定箇所を固定される金網フェンス１５と、隣設された端末柱１２と中間柱１４間及び隣設された中間柱１４，１４間に夫々所定間隔で立設状に配設され、地表にその下端部を置き、上端部及びそれ以外の１乃至複数位置で金網フェンス１５をフックボルト等を介して固定するセパレータ１６，１６…とを備えている。
前記端末柱１２、中間柱１４、控柱１３及びセパレータ１６は鋼製のパイプから成り、施工時に前記端末柱１２及び中間柱１４の上端には樹脂キャップ１７が装着される。セパレータ１６の上端にも樹脂キャップ１７を装着しても良い。
【００１０】
そして、施工後の積雪荷重による沈下を防止すべく、且つ、安定的な立設状態を保持すべく、前記端末柱１２は、直径６０乃至１００ｍｍ、好適には直径８９ｍｍに形成され、地中に１３００ｍｍ乃至１５００ｍｍ、好適には１４００ｍｍ打ち込まれ、中間柱１４は、直径４０乃至７０ｍｍ、好適には直径６０．６ｍｍに形成され、地中に１０００ｍｍ乃至１２００ｍｍ、好適には１１２０ｍｍ打ち込まれる。
このように、端末柱１２及び中間柱１４を比較的太く形成し、或いは、比較的太いものを用い、地中に比較的深く打ち込むことで地中内の摩擦を増やし、立杭の沈下を防止できる。
【００１１】
前記控柱１３は、端末柱１２から所定寸法離間して地中に打ち込まれるネカセ１８の上部と、端末柱１２の所定高さ位置とに斜めに掛け渡されて端末柱１２の安定的な立設状態を保持するものである。
前記ネカセ１８は、鋼製のパイプで形成される。
前記金網フェンス１５は、小型の動物や、動物の子供の侵入を防ぐために、横格子間の間隔が、上部側よりも下部側が狭くなるように形成されている。
前記セパレータ１６は、従来例（前記低コスト耐雪害防鹿柵よりも以前の従来例）に於いて前記中間柱１４，１４の設置間隔が５〜７．５ｍであったものを７．５ｍ〜１２ｍと大幅に広げることができるものである。
尚、図１において、１９は所定間隔で離間する端末柱１２、中間柱１４及びセパレータ１６の上端部を所定の緊張状態で順次連結する鋼より線である。
【００１２】
前記セパレータ付き低コスト鹿柵１１の施工の手順の一例について説明すると、まず、鹿などの野獣の侵入を防止したい場所の土地に柵の両端として夫々端末柱１２、１２を立設状に地中に約１４００ｍｍ打ち込み、夫々の端末柱１２から所定寸法離間させてネカセ１８を立設状に地中に打ち込み、ネカセ１８の上部と、端末柱１２の所定高さ位置とに控柱１３を斜めに掛け渡して、端末柱１２の安定的な立設状態を保持させる。
次に、両端の端末柱１２、１２間の土地に所定間隔で中間柱１４，１４…を立設状に地中に約１１２０ｍｍ打ち込み、端末柱１２、１２と、中間柱１４，１４…の上端部を鋼より線１９により、所定の緊張状態で連結し、両端の端末柱１２、１２間に中間柱１４，１４…に沿って、地表近傍から約２ｍの高さまで金網フェンス１５を張設し、両端の端末柱１２，１２及び中間柱１４，１４…に金網フェンス１５の所定箇所をフックボルト等で固定する。
隣設された端末柱１２と中間柱１４間及び隣設された中間柱１４，１４間に夫々所定間隔でセパレータ１６，１６…を立設状に配設し、セパレータ１６の下端部は地表に置き、セパレータ１６の上端を鋼より線１９に固定し、セパレータ１６の上端部及びそれ以外の１乃至複数位置に金網フェンス１５をフックボルト等を介して固定する。
【００１３】
図２に於いて、３１は、変形例のセパレータ付き低コスト鹿柵を示し、セパレータ付き低コスト鹿柵３１は、前記セパレータ付き低コスト鹿柵（図１に於いて１１）に於いて、前記端末柱（図１に於いて１２）、控柱（図１に於いて１３）、中間柱（図１に於いて１４）及びネカセ（図１に於いて１８）が鋼製パイプで形成されていたものを、木製の端末柱３２、控柱３３、中間柱３４及びネカセ３５としたものである。ネカセ３５は、図２に示す如く上端が端末柱３２から所定間隔離れ、下端が上端よりも端末柱３２に近づくように垂直に対し斜めに打ち込めば、端末柱１２のより安定的な立設状態を保持できる。
セパレータ１６は鋼製パイプで形成される。
そして、施工後の積雪荷重による沈下を防止すべく、且つ、安定的な立設状態を保持すべく、前記端末柱３２は、直径６０乃至１００ｍｍ、好適には直径８９ｍｍに形成され、地中に１３００ｍｍ乃至１５００ｍｍ、好適には１４００ｍｍ打ち込まれ、中間柱３４は、直径４０乃至７０ｍｍ、好適には直径６０．６ｍｍに形成され、地中に１０００ｍｍ乃至１２００ｍｍ、好適には１１２０ｍｍ打ち込まれる。
このように、セパレータ付き低コスト鹿柵３１は、前記セパレータ付き低コスト鹿柵１１と同様に、端末柱３２及び中間柱３４を比較的太く形成し、或いは、比較的太いものを用い、地中に比較的深く打ち込むことで地中内の摩擦を増やし、立杭の沈下を防止することができる。
【符号の説明】
【００１４】
１１，３１  セパレータ付き低コスト鹿柵
１２，３２  端末柱
１３，３４  控柱
１４，３３  中間柱
１５  金網フェンス
１６  セパレータ
【図１】
0003171107.tif 000003
【図２】
0003171107.tif 000004
【図３】
0003171107.tif 000005